(57)【要約】    【課題】  書棚付き机において、容易にパソコンの収納スペースを確保可能であるとともに、書棚をプリンター等のパソコン付属品を載置可能な上部載置台として利用可能な書棚付き机を提供する。    【解決手段】  机本体の天板上後部に書棚が配置された書棚付き机であって、該書棚は、右側書棚及び左側書棚、並びに中央書棚に３分割され、該中央書棚は棚板と２枚の側板が一体となった構造部材からなり、２枚の側板を介して右側書棚及び左側書棚の仕切板に固定具により着脱自在に取り付けられ、該中央書棚を一旦取り外し、上下逆さに取り付けることにより該中央書棚を上部載置台とすることを可能とする。    【選択図】  図２
2007020776.tif 000002
【特許請求の範囲】
【請求項１】
机本体の天板上後部に書棚が配置された書棚付き机であって、該書棚は、棚板、側板、仕切板から構成され連結桟で連結した右側書棚及び左側書棚、並びに中央書棚に３分割され、該中央書棚は棚板と２枚の側板が一体となった構造部材からなり、２枚の側板を介して右側書棚及び左側書棚の仕切板に固定具により着脱自在に取り付けられており、該中央書棚を一旦取り外し、上下逆さに取り付けることにより該中央書棚を上部載置台とすることを可能とした書棚付き机。
【発明の詳細な説明】
【技術分野】
【０００１】
本発明は、机本体の天板上に書棚を配置してなる机に関する。
【背景技術】
【０００２】
通常、学習机には、机本体の天板上後部に書棚が着脱可能に装着されている。書棚は、複数種類の書籍を区分けできるように複数の仕切り板が配置されて、複数の区分された収納スペースや、物品を収納する引き出しを有するように構成されている。
【０００３】
学習机の購入は、多くは、小学校への新入学等を契機としており、新入学時の年齢では、パソコンの使用はそれほど一般的なものでない。むしろ、就学年齢を重ねる過程でパソコンを導入することが一般的なものと考えられる。
【０００４】
しかし、書棚が取り付けられている学習机では、パソコンを置くスペースが狭いことから、書棚を机本体から取り外して天板上の全面にパソコンの設置スペースを形成していた。しかし、書棚自体を取り外すことは、大きな重量や取り付けられている面積の大きいことから、手間のかかる作業となっていた。
【０００５】
このような要請に伴い、書棚自体を取り外すことなく、机上にパソコンの収納スペースを確保できるように構成された学習机が提案されている。
【０００６】
例えば、特許文献１では、３分割された書棚の中央部の棚板を外すことによりパソコンの収納スペースを確保した机が、特許文献２では、ブックスタンドを支持部材を介して上方向に移動させることによりパソコンの収納スペースを設けた机が提案されている。
【特許文献１】特開２００２−１７７０５７号公報
【特許文献２】特開２０００−１０２４２３号公報
【発明の開示】
【発明が解決しようとする課題】
【０００７】
しかし、特許文献１の机は、単に書棚の中央部の棚板を外すことによりパソコンの収納スペースを設けるものに過ぎず、また特許文献２の机は、支持部材を必要とし、デザイン的に好ましいものとは言えない。
【０００８】
本発明は、書棚付き机において、容易にパソコンの収納スペースを確保可能であるとともに、書棚をプリンター等のパソコン付属品を載置可能な上部載置台として利用した書棚付き机の提供を目的とする。
【課題を解決するための手段】
【０００９】
即ち、本発明は、机本体の天板上後部に書棚が配置された書棚付き机であって、該書棚は、棚板、側板、仕切板から構成され連結桟で連結した右側書棚及び左側書棚、並びに中央書棚に３分割され、該中央書棚は棚板と２枚の側板が一体となった構造部材からなり、２枚の側板を介して右側書棚及び左側書棚の仕切板に固定具により着脱自在に取り付けられており、該中央書棚を一旦取り外し、上下逆さに取り付けることにより該中央書棚を上部載置台とすることを可能とした書棚付き机である。
【発明の効果】
【００１０】
本発明の書棚付き机は、上記のように構成されていることから、パソコンを使用しない小学校低学年の頃は、右側書棚、左側書棚及び中央書棚を書棚として利用し、パソコンを使用する学年になれば、中央書棚を上部載置台とすることにより、容易にパソコンの収納スペースを確保するとともに、上部載置台にプリンター等のパソコン付属品を載置可能としたため、極めて便利なものである。本発明の書棚付き机は、基本的に木製であるので、木製部材（中央書棚）の有効利用が図れる。尚、当然のことながら、パソコンを使用しなくなった場合には、元の書棚付き机に戻すことも可能であり、その中央書棚の脱着は容易である。
【発明を実施するための最良の形態】
【００１１】
以下、本発明の一実施形態を図面に基づいて説明する。本発明の書棚付き机の概略斜視図を図１〜３に示す。
【００１２】
図１は、中央書棚を書棚として使用する本発明の書棚付き机の基本形態を示す図である。
【００１３】
本発明の書棚付き机は、机本体２０の天板３０上後部に、机本体２０の幅と略同幅の書棚が配置されており、書棚は右側書棚Ａ、左側書棚Ｂ、中央書棚Ｃに３分割され、前部が開口するように形成されている。
【００１４】
右側書棚Ａは、棚板３、側板１、仕切板２から構成され、同様に左側書棚Ｂは、棚板６、側板４、仕切板５から構成され、右側書棚Ａと左側書棚Ｂは、その上部で連結桟７により連結されている。この連結桟７は複数設置されてもよく、また常法の如く後板を設けることも可能である。
【００１５】
尚、この例では、右側書棚Ａ、左側書棚Ｂの棚板３、棚板６の下部には引き出しが設けられている。
【００１６】
一方、中央書棚Ｃは、棚板８と、棚板８に垂直に設けられた２枚の側板９、９が一体となった構造部材からなる。中央書棚Ｃは、２枚の側板９、９の上端部分にて、右側書棚Ａ及び左側書棚Ｂの仕切板２及び仕切板５に固定具（例えばボルト）により着脱自在に取り付けられている。即ち、中央書棚Ｃは、連結桟７により連結されておらず、取り外し可能となっている。
【００１７】
尚、図１の例では、デザイン上、右側書棚Ａ、左側書棚Ｂ、中央書棚Ｃの各棚板は同高さとしているが、これに限定されるものではなく、中央書棚Ｃの棚板位置が、右側書棚Ａ、左側書棚Ｂの各棚板の位置より低くなるように構成することも可能である。
【００１８】
また、図１の例では、デザイン上、右側書棚Ａの側板１、仕切板２、左側書棚Ｂの側板４、仕切板５は、なだらかな円弧状の曲面を有し、これに伴い、デザイン上、中央書棚Ｃの側板９、９も曲面を有するように形成されているが、これらの形状に特に限定されるものではなく、例えば、中央書棚Ｃの側板９、９を矩形状等にすることもできる。
【００１９】
次に、図２は、中央書棚を取り外し、パソコンの収納スペースを確保するとともに、中央書棚を上部載置台として利用する状態を示す図であり、図３は、中央書棚を取り外すことにより生じた収納スペースにパソコンのモニター４０を置き、上部載置台にプリンター５０を載置した状態を示す図である。
【００２０】
図２のような状態にするには、固定具（ボルト）を外し、中央書棚Ｃを右側書棚Ａ及び左側書棚Ｂから一旦取り外す。次いで、中央書棚Ｃを反転させ、側板９、９が下方になる状態とし、固定具（ボルト）により、再度右側書棚Ａ及び左側書棚Ｂの仕切板２及び仕切板５に固定する。これにより、中央書棚Ｃは上部載置台６０となる。
【００２１】
この場合、中央書棚Ｃの側板９、９の直線部分は、連結桟７に当接し、固定具（ボルト）での固定により、上部載置台６０としての強度（一般的なプリンターを載せた場合の強度）は十分であるが、念のため、例えば、適当な補助具により上部載置台６０と連結桟７とを固定補強する構成を採用することもできる。
【００２２】
また、本発明の応用例として、上記と同じ構造の右側書棚Ａ、左側書棚Ｂ、中央書棚Ｃを用い、上記の如く固定具（ボルト）を外し、中央書棚Ｃを右側書棚Ａ及び左側書棚Ｂから一旦取り外すことなく、ボルトを緩め、ボルトを中心に１８０°回転させ、次いでボルトを締め、中央書棚Ｃを上部載置台６０とするワンタッチ方式のものとすることも可能である。この場合は、中央書棚Ｃの棚板８の向きが上記方式と逆になる。
【図面の簡単な説明】
【００２３】
【図１】本発明の書棚付き机において、中央書棚を書棚として使用する本発明の基本形態を示す概略斜視図である。
【図２】本発明の書棚付き机において、中央書棚を取り外し、パソコンの収納スペースを確保するとともに、中央書棚を上部載置台として利用する状態を示す概略斜視図である。
【図３】本発明の書棚付き机において、中央書棚を取り外すことにより生じた収納スペースにパソコンのモニターを置き、上部載置台にプリンターを載置した状態を示す概略斜視図である。
【符号の説明】
【００２４】
Ａ    右側書棚
１    側板
２    仕切板
３    棚板
Ｂ    左側書棚
４    側板
５    仕切板
６    棚板
７    連結桟
Ｃ    中央書棚
８    棚板
９    側板
１０  固定具
２０  机本体
３０  天板
４０  パソコンモニター
５０  プリンター
６０  上部載置台
【図１】
2007020776.tif 000003
【図２】
2007020776.tif 000004
【図３】
2007020776.tif 000005